(57)【要約】  【課題】  楽曲を演奏するときの鍵盤の操作を多様化すること。  【解決手段】  入力装置４に入力された第１内容に基づいて音階をそれぞれ示す複数鍵３のうちから音色鍵を抽出する音色割当部１１と、入力装置４に入力された第２内容に基づいて複数鍵３のうちからコード検出鍵を抽出するコード検出割当部１３と、複数鍵３のうちの打鍵された鍵が音色鍵にあるときに、打鍵された鍵に対応する楽音を所定の音色で出力する発音部１６と、打鍵された鍵がコード検出鍵にあるときに、伴奏されるコードを打鍵された鍵に基づいて算出するコード検出部１５とを備えている。第２内容は、第１内容と別途に入力装置４に入力される。すなわち、ユーザは、鍵盤の複数鍵に音色鍵とコード検出鍵とを互いに独立に設定することができる。このため、ユーザは、楽曲を演奏するときの鍵盤の操作がより容易になるように電子楽器１を設定することができる。  【選択図】図２
2005070167.tif 000002
【特許請求の範囲】
【請求項１】
入力装置に入力された第１内容に基づいて音階をそれぞれ示す複数鍵のうちから音色鍵を抽出する音色割当部と、
前記入力装置に入力された第２内容に基づいて前記複数鍵のうちからコード検出鍵を抽出するコード検出割当部と、
前記複数鍵のうちの打鍵された鍵が前記音色鍵にあるときに、前記鍵に対応する楽音を所定の音色で出力する発音部と、
前記鍵が前記コード検出鍵にあるときに、伴奏されるコードを前記鍵に基づいて算出するコード検出部とを具備し、
前記第２内容は、前記第１内容と別途に前記入力装置に入力される
電子楽器の機能割当装置。
【請求項２】
請求項１において、
前記入力装置に入力された第３内容に基づいて前記複数鍵のうちから制御鍵を抽出する機能割当部と、
前記鍵が前記制御鍵にあるときに、当該電子楽器により出力される楽音に関する設定を変更する機能実行部とを更に具備し、
前記第３内容は、前記第１内容と別途に前記入力装置に入力され、かつ、前記第２内容と別途に前記入力装置に入力される
電子楽器の機能割当装置。
【請求項３】
請求項２において、
前記機能割当部は、更に、前記第３内容に基づいて前記制御鍵に音色有効または音色無効を割り当て、
前記発音部は、
前記鍵が前記音色鍵にあり、かつ、前記鍵が前記制御鍵にあり、かつ、前記鍵が前記音色有効であるときに、前記楽音を出力し、
前記鍵が前記音色鍵にあり、かつ、前記鍵が前記制御鍵にあり、かつ、前記鍵が前記音色無効であるときに、前記楽音を出力しない
電子楽器の機能割当装置。
【請求項４】
請求項３において、
前記音色割当部は、前記複数鍵のうち前記第１内容に基づいて選択される２つの鍵に基づいて前記音色鍵を抽出する
電子楽器の機能割当装置。
【請求項５】
請求項２〜請求項４のいずれかにおいて、
前記機能割当部は、更に、前記第３内容に基づいて前記制御鍵にコード検出有効またはコード検出無効を割り当て、
前記コード検出部は、
前記鍵が前記コード検出鍵にあり、かつ、前記鍵が前記制御鍵にあり、かつ、前記鍵が前記コード検出有効であるときに、前記鍵に基づいて前記コードを算出し、
前記鍵が前記コード検出鍵にあり、かつ、前記鍵が前記制御鍵にあり、かつ、前記鍵が前記コード検出無効であるときに、前記鍵に基づいて前記コードを算出しない
電子楽器の機能割当装置。
【請求項６】
請求項５において、
前記コード検出割当部は、前記複数鍵のうち前記第２内容に基づいて選択される２つの鍵に基づいて前記音色鍵を抽出する
電子楽器の機能割当装置。
【請求項７】
請求項３〜請求項６のいずれかにおいて、
前記入力装置に入力された第４内容に基づいて前記複数鍵のうちから他の音色鍵を抽出する他の音色割当部を更に具備し、
前記発音部は、前記鍵が前記他の音色鍵にあるときに、前記鍵に対応する楽音を前記所定の音色と異なる他の音色で出力し、
前記第４内容は、前記第１内容と別途に前記入力装置に入力され、かつ、前記第２内容と別途に前記入力装置に入力され、かつ、前記第３内容と別途に前記入力装置に入力される
電子楽器の機能割当装置。
【発明の詳細な説明】
【技術分野】
【０００１】
本発明は、電子楽器の機能割当装置に関し、特に、鍵盤に設定された複数のエリア毎に異なる音色の楽音を出力する電子楽器の機能割当装置に関する。
【背景技術】
【０００２】
鍵盤に設定された複数のエリア毎に異なる音色を割り当てる電子楽器が知られている。その電子楽器は、打鍵された鍵に対応する音階の楽音を、打鍵された鍵が属するエリアに割り当てられる音色で出力する。その電子楽器は、さらに、打鍵された鍵に基づいてコードを算出し、そのコードを用いて伴奏する。
【０００３】
図１０は、電子ピアノに例示される公知の電子楽器の鍵盤装置を示し、その鍵盤装置の鍵に割り当てられたコード検出エリアと第１音色ゾーンと第２音色ゾーンとを示している。すなわち、ユーザにより鍵盤装置１０１の鍵Ｂ２と鍵Ｃ３との間にキースプリット１０２が設定されるときに、キースプリット１０２より左側に配置される鍵は、コード検出エリア１０３と第１音色ゾーン１０４とに設定される。このようにコード検出エリア１０３と第１音色ゾーン１０４とは、常に、一致している。キースプリット１０２より右側に配置される鍵は、第２音色ゾーン１０５に設定される。
【０００４】
このとき、その電子楽器は、鍵Ｃ２が打鍵されたときに、鍵Ｃ２に対応する音階の楽音が第１音色で出力され、鍵Ｃ２に基づいてコード検出される。その電子楽器は、鍵Ｃ４が打鍵されたときに、鍵Ｃ４に対応する音階の楽音が第１音色で出力され、鍵Ｃ４に対応する音階の楽音が第２音色で出力され、鍵Ｃ４に基づいてコード検出されない。
【０００５】
図１１は、電子オルガンに例示される公知の電子楽器の鍵盤装置を示し、その鍵盤装置の鍵に割り当てられたコード検出エリアと第１音色ゾーンと第２音色ゾーンとを示している。すなわち、鍵盤装置１１１のすべての鍵は、コード検出エリア１１３に設定され、ユーザにより変更することができない。ユーザにより鍵盤装置１１１の鍵Ｅ１が第１音色ゾーン１１４のゾーンローキーに設定され、鍵Ｅ４が第１音色ゾーン１１４のゾーンハイキーに設定されるときに、第１音色ゾーン３１は、鍵Ｅ１と鍵Ｅ４との間に配置される鍵に設定される。鍵Ｃ３が第２音色ゾーン１１５のゾーンローキーに設定され、鍵Ｇ５が第２音色ゾーン１１５のゾーンローキーに設定されるときに、第２音色ゾーン１１５は、鍵Ｃ３と鍵Ｇ５との間に配置される鍵に設定されている。
【０００６】
このとき、その電子楽器は、鍵Ｃ１が打鍵されたときに、鍵Ｃ１に対応する音階の楽音が出力されないで、鍵Ｃ１に基づいてコード検出される。電子楽器１は、鍵Ｃ２が打鍵されたときに、鍵Ｃ２に対応する音階の楽音が第１音色で出力され、鍵Ｃ２に基づいてコード検出される。電子楽器１は、鍵Ｃ４が打鍵されたときに、鍵Ｃ４に対応する音階の楽音が第１音色で出力され、鍵Ｃ４に対応する音階の楽音が第２音色で出力され、鍵Ｃ４に基づいてコード検出される。電子楽器１は、鍵Ｃ５が打鍵されたときに、鍵Ｃ５に対応する音階の楽音が第１音色で出力され、鍵Ｃ５に基づいてコード検出される。
【０００７】
楽曲を演奏するときの鍵盤の操作がより多様である電子楽器が望まれている。
【０００８】
特開平６−２０２６５４号公報には、所望の発音割当て形式を設定できると共に、デュアル演奏およびスプリット演奏の機能を実現することができる電子楽器が開示されている。
【０００９】
特開平７−７２８６５号公報には、演奏者が軽易にコードパターンに関するデータを作成し、自動伴奏可能な電子楽器が開示されている。
【００１０】
特開平８−３３９１８６号公報には、ベース音の音色とコード音の音色を適切に組み合わせ、より自然な自動伴奏を行う自動伴奏機能付き電子楽器が開示されている。
【００１１】
特開平９−１６６９８２号公報には、演奏者が一つの鍵を押下することにより該鍵に割当てられている機能を迅速・簡単に機能割り当てできる電子楽器が開示されている。
【００１２】
【特許文献１】特開平６−２０２６５４号公報
【特許文献２】特開平７−７２８６５号公報
【特許文献３】特開平８−３３９１８６号公報
【特許文献４】特開平９−１６６９８２号公報
【発明の開示】
【発明が解決しようとする課題】
【００１３】
本発明の課題は、鍵盤装置の鍵に音色ゾーンとコード検出エリアとを互いに独立に設定することができる電子楽器の機能割当装置を提供することにある。
本発明の他の課題は、楽曲を演奏するときの鍵盤の操作がより多様である電子楽器の機能割当装置を提供することにある。
本発明のさらに他の課題は、楽曲を演奏するときの鍵盤の操作がより容易である電子楽器の機能割当装置を提供することにある。
本発明のさらに他の課題は、楽曲を演奏するときの鍵盤の操作を多様化する設定が容易である電子楽器の機能割当装置を提供することにある。
【課題を解決するための手段】
【００１４】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１５】
本発明による電子楽器の機能割当装置は、入力装置（４）に入力された第１内容に基づいて音階をそれぞれ示す複数鍵（３）のうちから音色鍵を抽出する音色割当部（１１）と、入力装置（４）に入力された第２内容に基づいて複数鍵（３）のうちからコード検出鍵を抽出するコード検出割当部（１３）と、複数鍵（３）のうちの打鍵された鍵が音色鍵にあるときに、打鍵された鍵に対応する楽音を所定の音色で出力する発音部（１６）と、打鍵された鍵がコード検出鍵にあるときに、伴奏されるコードを打鍵された鍵に基づいて算出するコード検出部（１５）とを備えている。第２内容は、第１内容と別途に入力装置（４）に入力される。すなわち、ユーザは、鍵盤の複数鍵に音色鍵とコード検出鍵とを互いに独立に設定することができる。このため、本発明による電子楽器の機能割当装置によれば、電子楽器（１）による演奏方法が多様化し、ユーザは様々な鍵盤操作方法で楽曲を演奏することができる。たとえば、ユーザは、楽曲を演奏するときの鍵盤の操作がより容易になるように電子楽器（１）を設定することができる。
【００１６】
本発明による電子楽器の機能割当装置は、入力装置（４）に入力された第３内容に基づいて複数鍵（３）のうちから制御鍵を抽出する機能割当部（１４）と、打鍵された鍵が制御鍵にあるときに、電子楽器（１）により出力される楽音に関する設定を変更する機能実行部（１７）とを更に備えている。第３内容は、第１内容と別途に入力装置（４）に入力され、かつ、第２内容と別途に入力装置（４）に入力される。すなわち、ユーザは、複数の鍵に音色鍵とコード検出鍵と制御鍵とを互いに独立に設定することができる。このため、本発明による電子楽器の機能割当装置によれば、電子楽器（１）による演奏方法が多様化し、ユーザは様々な鍵盤操作方法で楽曲を演奏することができる。たとえば、ユーザは、楽曲を演奏するときの鍵盤の操作がより容易になるように電子楽器（１）を設定することができる。
【００１７】
機能割当部（１４）は、更に、第３内容に基づいて制御鍵に音色有効または音色無効を割り当てる。このとき、発音部（１６）は、打鍵された鍵が音色鍵にあり、かつ、打鍵された鍵が制御鍵にあり、かつ、打鍵された鍵が音色有効であるときに、楽音を出力する。発音部（１６）は、打鍵された鍵が音色鍵にあり、かつ、打鍵された鍵が制御鍵にあり、かつ、打鍵された鍵が音色無効であるときに、楽音を出力しない。このとき、本発明による電子楽器の機能割当装置によれば、電子楽器（１）による演奏方法が多様化し、ユーザは様々な鍵盤操作方法で楽曲を演奏することができる。たとえば、ユーザは、楽曲を演奏するときの鍵盤の操作がより容易になるように電子楽器（１）を設定することができる。
【００１８】
音色割当部（１１）は、複数鍵（３）のうち第１内容に基づいて選択される２つの鍵に基づいて音色鍵を抽出する。たとえば、音色鍵は、その２鍵の間に配置され、または、その２鍵の外側に配置される。このとき、ユーザは、様々な鍵盤操作方法を容易に設定することができる。
【００１９】
機能割当部（１４）は、更に、第３内容に基づいて制御鍵にコード検出有効またはコード検出無効を割り当てる。このとき、コード検出部（１５）は、打鍵された鍵がコード検出鍵にあり、かつ、打鍵された鍵が制御鍵にあり、かつ、打鍵された鍵がコード検出有効であるときに、打鍵された鍵に基づいてコードを算出する。コード検出部（１５）は、打鍵された鍵がコード検出鍵にあり、かつ、打鍵された鍵が制御鍵にあり、かつ、打鍵された鍵がコード検出無効であるときに、打鍵された鍵に基づいてコードを算出しない。このとき、本発明による電子楽器の機能割当装置によれば、電子楽器（１）による演奏方法が多様化し、ユーザは様々な鍵盤操作方法で楽曲を演奏することができる。たとえば、ユーザは、楽曲を演奏するときの鍵盤の操作がより容易になるように電子楽器（１）を設定することができる。
【００２０】
コード検出割当部（１３）は、複数鍵（３）のうち第２内容に基づいて選択される２つの鍵に基づいて音色鍵を抽出する。たとえば、コード検出鍵は、その２鍵の間に配置され、または、その２鍵の外側に配置される。このとき、ユーザは、様々な鍵盤操作方法を容易に設定することができる。
【００２１】
本発明による電子楽器の機能割当装置は、入力装置（４）に入力された第４内容に基づいて複数鍵（３）のうちから他の音色鍵を抽出する他の音色割当部（１２）を更に備えている。このとき、発音部（１６）は、打鍵された鍵が他の音色鍵にあるときに、打鍵された鍵に対応する楽音を所定の音色と異なる他の音色で出力する。第４内容は、第１内容と別途に入力装置（４）に入力され、かつ、第２内容と別途に入力装置（４）に入力され、かつ、第３内容と別途に入力装置（４）に入力される。すなわち、ユーザは、鍵盤の複数鍵に複数系列の音色鍵とコード検出鍵とを互いに独立に設定することができる。このため、本発明による電子楽器の機能割当装置によれば、電子楽器（１）による演奏方法が多様化し、ユーザは様々な鍵盤操作方法で楽曲を演奏することができる。たとえば、ユーザは、楽曲を演奏するときの鍵盤の操作がより容易になるように電子楽器（１）を設定することができる。
【発明の効果】
【００２２】
本発明による電子楽器の機能割当装置によれば、ユーザは、楽曲を演奏するときの鍵盤の操作がより容易になるように設定することができる。
【発明を実施するための最良の形態】
【００２３】
図面を参照して、本発明による電子楽器の実施の形態を記載する。その電子楽器１は、図１に示されているように、電子楽器本体２と鍵盤装置３と入力装置５とスピーカ６とを備えている。電子楽器本体２は、情報処理装置であり、インストールされたコンピュータプログラムを実行して、鍵盤装置３と入力装置５とスピーカ６とを制御する。鍵盤装置３は、互いに異なる音階をそれぞれ示す複数の鍵を備え、ユーザにより打鍵された鍵を電子楽器本体２に通知する。入力装置５は、ユーザに操作され、その操作内容を電子楽器本体２に通知する。スピーカ６は、電子楽器本体２が作成した音声を発音する。
【００２４】
図２は、電子楽器本体２を示している。電子楽器本体２は、コンピュータプログラムである第１音色割当部１１と第２音色割当部１２とコード検出エリア割当部１３と機能割当部１４とコード検出部１５と発音部１６と機能実行部１７とをインストールしている。
【００２５】
第１音色割当部１１は、入力装置５に入力された内容に基づいて選択された音色を第１音色に割り当てる。第１音色割当部１１は、さらに、入力装置５に入力された内容に基づいて鍵盤装置３の鍵から抽出された一部分を第１音色ゾーンに設定する。すなわち、第１音色割当部１１は、入力装置５に入力された内容に基づいて複数の鍵のうちからゾーンハイキーとゾーンローキーとを選択する。第１音色割当部１１は、ゾーンハイキーがゾーンローキーより右側に配置されているときに、複数の鍵のうちのゾーンハイキーとゾーンローキーとの間に配置されている鍵を第１音色ゾーンに設定する。第１音色割当部１１は、ゾーンハイキーがゾーンローキーより右側に配置されているときに、複数の鍵のうちのゾーンハイキーより右側に配置されている鍵と複数の鍵のうちのゾーンローキーより左側に配置されている鍵とを第１音色ゾーンに設定する。
【００２６】
第２音色割当部１２は、入力装置５に入力された内容に基づいて選択された音色を第２音色に割り当てる。第２音色割当部１２は、さらに、入力装置５に入力された内容に基づいて鍵盤装置３の鍵から抽出された一部分を第２音色ゾーンに設定する。すなわち、第２音色割当部１２は、入力装置５に入力された内容に基づいて複数の鍵のうちからゾーンハイキーとゾーンローキーとを選択する。第２音色割当部１２は、ゾーンハイキーがゾーンローキーより右側に配置されているときに、複数の鍵のうちのゾーンハイキーとゾーンローキーとの間に配置されている鍵を第２音色ゾーンに設定する。第２音色割当部１２は、ゾーンハイキーがゾーンローキーより右側に配置されているときに、複数の鍵のうちのゾーンハイキーより右側に配置されている鍵と複数の鍵のうちのゾーンローキーより左側に配置されている鍵とを第２音色ゾーンに設定する。
【００２７】
コード検出エリア割当部１３は、入力装置５に入力された内容に基づいて鍵盤装置３の鍵から抽出された一部分をコード検出エリアに設定する。すなわち、コード検出エリア割当部１３は、入力装置５に入力された内容に基づいて複数の鍵のうちからゾーンハイキーとゾーンローキーとを選択する。コード検出エリア割当部１３は、ゾーンハイキーがゾーンローキーより右側に配置されているときに、複数の鍵のうちのゾーンハイキーとゾーンローキーとの間に配置されている鍵をコード検出エリアに設定する。コード検出エリア割当部１３は、ゾーンハイキーがゾーンローキーより右側に配置されているときに、複数の鍵のうちのゾーンハイキーより右側に配置されている鍵と複数の鍵のうちのゾーンローキーより左側に配置されている鍵とをコード検出エリアに設定する。
【００２８】
機能割当部１４は、入力装置５に入力された内容に基づいて電子楽器１から出力される楽音に関する設定を変更する複数の機能のうちから所望の機能を選択する。その機能としては、出力される楽音のエフェクトを変更すること、出力される楽音にサステインを付加・消去すること、出力される楽音にトレモロを付加・消去すること、自動伴奏を開始・停止すること、演奏されている楽曲の記録を開始・停止すること、記録されている楽曲の演奏を開始・停止すること、打楽器音を鳴らすこと、出力される楽音の音程を移調することが例示される。機能割当部１４は、さらに、入力装置５に入力された内容に基づいて鍵盤装置３の鍵から選択された制御鍵にその所望の機能を割り当てる。機能割当部１４は、さらに、その制御鍵が打鍵されたときに、入力装置５に入力された内容に基づいて第１音色に関して有効・無効を割り当て、入力装置５に入力された内容に基づいて第２音色に関して有効・無効を割り当て、入力装置５に入力された内容に基づいてコードに関して有効・無効を割り当てる。
【００２９】
コード検出部１５は、伴奏されているコードを記録し、スピーカ５を用いてその記録されているコードを出力する。コード検出部１５は、さらに、鍵盤装置３が備える鍵の打鍵の有無を監視し、打鍵された鍵がコード検出エリアに属し、かつ、その鍵がコード検出に関して有効であるときに、記録されているコードをその鍵に基づいて算出されたコードに更新する。すなわち、コード検出部１５は、コード検出エリアの鍵が打鍵されることによりコード進行する。
【００３０】
発音部１６は、鍵盤装置３が備える鍵の打鍵の有無を監視し、打鍵された鍵が第１音色ゾーンに属し、かつ、その鍵が第１音色に関して有効であるときに、その鍵に対応する音階の楽音を第１音色で発音する。発音部１６は、さらに、打鍵された鍵が第２音色ゾーンに属し、かつ、その鍵が第２音色に関して有効であるときに、その鍵に対応する音階の楽音を第２音色で発音する。
【００３１】
機能実行部１７は、鍵盤装置３が備える鍵の打鍵の有無を監視し、打鍵された鍵が制御鍵であるときに、その制御鍵に割り当てられた機能を実行する。
【００３２】
電子楽器１の動作は、鍵盤装置３の鍵に機能を割り当てる動作と楽曲を演奏する動作とを備えている。その楽曲を演奏する動作は、並行して実行される複数の動作を備えている。その複数の動作は、第１音色の楽音を出力する動作と第２音色の楽音を出力する動作とコードを出力する動作と楽音に関する設定を変更する動作とを備えている。
【００３３】
図３は、鍵盤装置３の鍵に機能を割り当てる動作を示している。ユーザは、まず、電子楽器１の入力装置５を操作して、第１音色に所望の音色を割り当てる。ユーザは、さらに、電子楽器１の入力装置５を操作して、複数の鍵のうちの一部分を第１音色ゾーンに設定する（ステップＳ１）。すなわち、ユーザは、電子楽器１の入力装置５を操作して、複数の鍵のうちからゾーンハイキーとゾーンローキーとを設定する。電子楽器１は、ゾーンハイキーがゾーンローキーより右側に配置されているときに、複数の鍵のうちのゾーンハイキーとゾーンローキーとの間に配置されている鍵を第１音色ゾーンに設定する。電子楽器１は、ゾーンハイキーがゾーンローキーより右側に配置されているときに、複数の鍵のうちのゾーンハイキーより右側に配置されている鍵と複数の鍵のうちのゾーンローキーより左側に配置されている鍵とを第１音色ゾーンに設定する。
【００３４】
ユーザは、電子楽器１の入力装置５を操作して、第２音色に第１音色と異なる所望の音色を割り当てる。ユーザは、電子楽器１の入力装置５を操作して、複数の鍵のうちの一部分を第２音色ゾーンに設定する（ステップＳ２）。すなわち、ユーザは、電子楽器１の入力装置５を操作して、複数の鍵のうちからゾーンハイキーとゾーンローキーとを設定する。電子楽器１は、ゾーンハイキーがゾーンローキーより右側に配置されているときに、複数の鍵のうちのゾーンハイキーとゾーンローキーとの間に配置されている鍵を第２音色ゾーンに設定する。電子楽器１は、ゾーンハイキーがゾーンローキーより右側に配置されているときに、複数の鍵のうちのゾーンハイキーより右側に配置されている鍵と複数の鍵のうちのゾーンローキーより左側に配置されている鍵とを第２音色ゾーンに設定する。
【００３５】
ユーザは、電子楽器１の入力装置５を操作して、複数の鍵のうちの一部分をコード検出エリアに設定する（ステップＳ３）。すなわち、ユーザは、電子楽器１の入力装置５を操作して、複数の鍵のうちからゾーンハイキーとゾーンローキーとを設定する。電子楽器１は、ゾーンハイキーがゾーンローキーより右側に配置されているときに、複数の鍵のうちのゾーンハイキーとゾーンローキーとの間に配置されている鍵をコード検出エリアに設定する。電子楽器１は、ゾーンハイキーがゾーンローキーより右側に配置されているときに、複数の鍵のうちのゾーンハイキーより右側に配置されている鍵と複数の鍵のうちのゾーンローキーより左側に配置されている鍵とをコード検出エリアに設定する。
【００３６】
ユーザは、電子楽器１の入力装置５を操作して、出力される楽音に関する設定を変更する複数の機能から所望の機能を選択する。ユーザは、電子楽器１の入力装置５を操作して、複数の鍵のうちの１つの鍵を制御鍵に設定し、その制御鍵にその所望の機能を割り当てる（ステップＳ４）。ユーザは、さらに、電子楽器１の入力装置５を操作して、その制御鍵に第１音色の発音に関して有効・無効を割り当てる。ユーザは、さらに、電子楽器１の入力装置５を操作して、その制御鍵に第２音色の発音に関して有効・無効を割り当てる。ユーザは、さらに、電子楽器１の入力装置５を操作して、その制御鍵にコード検出に関して有効・無効を割り当てる（ステップＳ５）。
【００３７】
ユーザは、さらに、複数の鍵のうちの１つの鍵を制御鍵に設定したいときに、電子楽器１の入力装置５を操作して、ステップＳ４〜ステップＳ５を繰り返す。
【００３８】
このような動作によれば、ユーザは、鍵盤装置３の鍵に複数系列の音色ゾーンとコード検出エリアとを互いに独立に設定することができる。その音色ゾーンとコード検出エリアとは、重なりを有することもできる。このため、ユーザは、楽曲を演奏するときの鍵盤装置３の操作がより容易になるように電子楽器１を設定することができる。
【００３９】
このような動作によれば、第１音色ゾーン、第２音色ゾーンまたはコード検出エリアは、それぞれ、鍵盤装置３に並んで配置されている複数の鍵から形成されている。なお、電子楽器１は、第１音色ゾーン、第２音色ゾーンまたはコード検出エリアを、鍵盤装置３に飛び飛びに配置される複数の鍵に割り当てることもできる。すなわち、ユーザは、鍵盤装置３から任意の鍵を選択し、その鍵を第１音色ゾーン、第２音色ゾーンまたはコード検出エリアに割り当てることができる。このとき、ユーザは、鍵盤装置３に並んで配置される複数の鍵（鍵域、ゾーンまたはエリアと呼ばれる）を設定することより手間がかかるが、鍵盤装置３に飛び飛びに配置される複数の鍵に１つの機能を割り当てるときに便利である。
【００４０】
図４は、第１音色の楽音を出力する動作を示している。電子楽器１は、鍵盤装置３が備える鍵が打鍵されたときに、その鍵が第１音色ゾーンに属しているかどうかを判別する（ステップＳ１１）。電子楽器１は、その鍵が第１音色ゾーンに属し、かつ、その鍵が第１音色に関して有効であるときに（ステップＳ１２；ＹＥＳ）、その鍵に対応する音階の楽音を第１音色で発音する（ステップＳ１３）。電子楽器１は、その鍵が第１音色ゾーンに属していないときに（ステップＳ１１；ＮＯ）、または、その鍵が第１音色に関して無効であるときに（ステップＳ１２；ＮＯ）、その鍵に対応する音階の楽音をしない。
【００４１】
図５は、第２音色の楽音を出力する動作を示している。電子楽器１は、鍵盤装置３が備える鍵が打鍵されたときに、その鍵が第２音色ゾーンに属しているかどうかを判別する（ステップＳ２１）。電子楽器１は、その鍵が第２音色ゾーンに属し、かつ、その鍵が第２音色に関して有効であるときに（ステップＳ２２；ＹＥＳ）、その鍵に対応する音階の楽音を第２音色で発音する（ステップＳ２３）。電子楽器１は、その鍵が第２音色ゾーンに属していないときに（ステップＳ２１；ＮＯ）、または、その鍵が第２音色に関して無効であるときに（ステップＳ２２；ＮＯ）、その鍵に対応する音階の楽音をしない。
【００４２】
図６は、コードを出力する動作を示している。電子楽器１は、鍵盤装置３が備える鍵が打鍵されたときに、その鍵がコード検出エリアに属しているかどうかを判別する（ステップＳ３１）。電子楽器１は、その鍵がコード検出エリアに属し、かつ、その鍵がコード検出に関して有効であるときに（ステップＳ３２；ＹＥＳ）、それまで伴奏されていたコードをその鍵に基づいて算出されたコードに更新する（ステップＳ３３）。電子楽器１は、その鍵がコード検出エリアに属していないときに（ステップＳ３１；ＮＯ）、または、その鍵がコード検出に関して無効であるときに（ステップＳ３２；ＮＯ）、それまで伴奏されていたコードを更新しない。
【００４３】
図７は、楽音に関する設定を変更する動作を示している。電子楽器１は、鍵盤装置３が備える鍵が打鍵されたときに、その鍵が制御鍵であるかどうかを判別する（ステップＳ４１）。電子楽器１は、その鍵が制御鍵であるときに（ステップＳ４１；ＹＥＳ）、その制御鍵に対応する機能を実行する（ステップＳ４２）。
【００４４】
図８は、図３の動作により鍵盤装置３の鍵に第１音色ゾーンと第２音色ゾーンとコード検出エリアと制御鍵とが割り当てられた例を示している。すなわち、鍵盤装置３の鍵Ｃ１が第１音色ゾーン２１のゾーンローキーに設定され、鍵Ｂ２が第１音色ゾーン２１のゾーンローキーに設定され、第１音色ゾーン２１は、鍵Ｃ１と鍵Ｂ２との間に配置される鍵に設定されている。鍵Ｃ３が第２音色ゾーン２２のゾーンローキーに設定され、鍵Ｃ６が第２音色ゾーン２２のゾーンローキーに設定され、第２音色ゾーン２２は、鍵Ｃ３と鍵Ｃ６との間に配置される鍵に設定されている。鍵Ｃ１がコード検出エリア２３のゾーンローキーに設定され、鍵Ｅ３がコード検出エリア２３のゾーンローキーに設定され、コード検出エリア２３は、鍵Ｃ１と鍵Ｅ３との間に配置される鍵に設定されている。鍵Ｃ１は、制御鍵に設定され、第１音色の発音に関して無効が割り当てられ、コード検出に関して無効が割り当てられている。鍵Ｃ３は、制御鍵に設定され、第２音色の発音に関して無効が割り当てられ、コード検出に関して有効が割り当てられている。
【００４５】
このとき、電子楽器１は、鍵Ｃ１が打鍵されたときに、鍵Ｃ１に対応する音階の楽音が出力されないで、鍵Ｃ１に基づいてコード検出されない。電子楽器１は、鍵Ｃ２が打鍵されたときに、鍵Ｃ２に対応する音階の楽音が第１音色で出力され、鍵Ｃ２に基づいてコード検出される。電子楽器１は、鍵Ｃ３が打鍵されたときに、鍵Ｃ３に対応する音階の楽音が出力されないで、鍵Ｃ３に基づいてコード検出される。電子楽器１は、鍵Ｃ４が打鍵されたときに、鍵Ｃ４に対応する音階の楽音が第２音色で出力され、鍵Ｃ４に基づいてコード検出されない。
【００４６】
図９は、図３の動作により鍵盤装置３の鍵に第１音色ゾーンと第２音色ゾーンとコード検出エリアと制御鍵とが割り当てられた他の例を示している。すなわち、鍵盤装置３の鍵Ｄ１が第１音色ゾーン３１のゾーンローキーに設定され、鍵Ｅ４が第１音色ゾーン３１のゾーンローキーに設定され、第１音色ゾーン３１は、鍵Ｄ１と鍵Ｅ４との間に配置される鍵に設定されている。鍵Ｃ３が第２音色ゾーン３２のゾーンローキーに設定され、鍵Ｃ６が第２音色ゾーン３２のゾーンローキーに設定され、第２音色ゾーン３２は、鍵Ｃ３と鍵Ｃ６との間に配置される鍵に設定されている。鍵Ｆ＃１がコード検出エリア３３のゾーンローキーに設定され、鍵Ｅ３がコード検出エリア３３のゾーンローキーに設定され、コード検出エリア３３は、鍵Ｆ＃１と鍵Ｅ３との間に配置される鍵に設定されている。鍵Ｃ１は、制御鍵に設定され、第１音色の発音に関して有効が割り当てられ、第２音色の発音に関して有効が割り当てられ、コード検出に関して無効が割り当てられている。鍵Ｃ３は、制御鍵に設定され、第１音色の発音に関して有効が割り当てられ、第２音色の発音に関して無効が割り当てられ、コード検出に関して有効が割り当てられている。
【００４７】
このとき、電子楽器１は、鍵Ｃ１が打鍵されたときに、鍵Ｃ１に対応する音階の楽音が出力されないで、鍵Ｃ１に基づいてコード検出されない。電子楽器１は、鍵Ｃ２が打鍵されたときに、鍵Ｃ２に対応する音階の楽音が第１音色で出力され、鍵Ｃ２に基づいてコード検出される。電子楽器１は、鍵Ｃ３が打鍵されたときに、鍵Ｃ３に対応する音階の楽音が第１音色で出力され、鍵Ｃ３に基づいてコード検出される。電子楽器１は、鍵Ｃ４が打鍵されたときに、鍵Ｃ４に対応する音階の楽音が第１音色で出力され、鍵Ｃ４に対応する音階の楽音が第２音色で出力され、鍵Ｃ４に基づいてコード検出されない。
【００４８】
このような電子楽器１によれば、ユーザは、鍵盤装置３の鍵に複数系列の音色ゾーンとコード検出エリアとを互いに独立に設定することができる。その音色ゾーンとコード検出エリアとは、重なりを有することもできる。このため、ユーザは、楽曲を演奏するときの鍵盤装置３の操作がより容易になるように電子楽器１を設定することができる。
【図面の簡単な説明】
【００４９】
【図１】図１は、本発明による電子楽器の実施の形態を示すブロック図である。
【図２】図２は、電子楽器本体を示すブロック図である。
【図３】図３は、鍵盤装置の鍵に機能を割り当てる動作を示すフローチャートである。
【図４】図４は、第１音色の楽音を出力する動作を示すフローチャートである。
【図５】図５は、第２音色の楽音を出力する動作を示すフローチャートである。
【図６】図６は、コードを出力する動作を示すフローチャートである。
【図７】図７は、楽音に関する設定を変更する動作を示すフローチャートである。
【図８】図８は、鍵盤装置の鍵に割り当てられる機能の例を示す図である。
【図９】図９は、鍵盤装置の鍵に割り当てられる機能の他の例を示す図である。
【図１０】図１０は、鍵盤装置の鍵に割り当てられる機能の公知例を示す図である。
【図１１】図１１は、鍵盤装置の鍵に割り当てられる機能の他の公知例を示す図である。
【符号の説明】
【００５０】
１  ：電子楽器
２  ：電子楽器本体
３  ：鍵盤装置
４  ：入力装置
５  ：スピーカ
１１：第１音色割当部
１２：第２音色割当部
１３：コード検出エリア割当部
１４：機能割当部
１５：コード検出部
１６：発音部
１７：機能実行部
２１：第１音色ゾーン
２２：第２音色ゾーン
２３：コード検出エリア
３１：第１音色ゾーン
３２：第２音色ゾーン
３３：コード検出エリア
【図１】
2005070167.tif 000003
【図２】
2005070167.tif 000004
【図３】
2005070167.tif 000005
【図４】
2005070167.tif 000006
【図５】
2005070167.tif 000007
【図６】
2005070167.tif 000008
【図７】
2005070167.tif 000009
【図８】
2005070167.tif 000010
【図９】
2005070167.tif 000011
【図１０】
2005070167.tif 000012
【図１１】
2005070167.tif 000013